(57)【特許請求の範囲】
【請求項１】
正面視略長方形状の中枠と、
当該中枠の、遊技者に対向する前面側に設けられ、遊技媒体が流下する遊技盤と、
前記中枠に設けられ、前記遊技盤が設けられるための遊技盤用開口部と、
当該遊技盤用開口部の周囲に設けられ、前記遊技盤を係止する係止手段と、
前記中枠の、前記前面側の上端部の略中央の近傍に設けられ、前記遊技盤の上端部を押圧して支持する遊技盤押さえ部材と
を備え、
前記遊技盤押さえ部材は、
前記中枠の、前記前面側の前記上端部近傍に当接して固定される平面視略長方形状の固定片と、
当該固定片の下端部から、前記中枠の前記前面から離れる方向に向かって略水平に延設された平面視略長方形状の水平片と、
当該水平片の、前記固定片から離れる側の一端部から、前記固定片の下方に向かって折り曲げられて延設された第１折り曲げ片と、
当該第１折り曲げ片の、前記固定片の下方側の一端部から、前記固定片の下端部近傍に向かって折り曲げられ、前記中枠の前記前面近傍まで延設された第２折り曲げ片と
から構成され、
前記第１折り曲げ片は、前記水平片の前記一端部から、前記固定片の下方に向かって湾曲して折り曲げられた第１折り曲げ部を備え、
前記第２折り曲げ片は、前記第１折り曲げ片の前記一端部から、前記固定片の下端部近傍に向かって湾曲して折り曲げられた第２折り曲げ部を備え、
前記遊技盤の前記上端部は、前記第２折り曲げ部に接していることを特徴とする遊技機。
【請求項２】
前記係止手段は、
前記中枠の前面に凸設され、前記遊技盤に設けられた嵌合穴に嵌合する嵌合突起と、
前記中枠に対して一端側が軸支され、当該一端側とは反対側の他端側が前記遊技盤の前面に係止して前記遊技盤を前記中枠に固定する固定レバーと
を備えたことを特徴とする請求項１に記載の遊技機。
【発明の詳細な説明】
【技術分野】
【０００１】
本発明は、遊技機に関し、詳細には、遊技盤のズレを防止する押さえ部材を備えた遊技機に関する。
【背景技術】
【０００２】
従来、遊技機の一種であるパチンコ機において、正面視略長方形状の外枠の、遊技者に対向する前面側には、正面視略長方形状の中枠が開閉可能に軸支されている。そして、その中枠の前面側には遊技盤が固定されている。さらに遊技盤は、中枠の前面側（又は裏面側）の周囲に設けられた複数の固定部材によって、中枠の前面側又は裏面側に固定されている。これら固定部材は、短冊形状の金属製板部材によって各々形成され、その長手方向一端側は中枠の前面側（又は裏面側）の周囲に軸支されている。そして、遊技盤を中枠の前面側に当接させた状態で、固定部材の前記一端側とは反対の他端側を、中枠の内側に向かって略水平方向に回動させ、「遊技盤固定位置」に位置させると、遊技盤が中枠に固定された状態となる。一方、固定部材の前記他端側を中枠の上方側に回動させ、「遊技盤開放位置」に位置させることにより、遊技盤が中枠から開放された状態となる。このようにして、これら複数の固定部材を遊技盤固定位置から遊技盤開放位置へ、又は遊技盤開放位置から遊技盤固定位置へ変位させることにより、中枠に対する遊技盤の着脱作業が行われる。
【０００３】
このようなパチンコ機において、例えば、固定部材すべてにつき、各々変位させる煩わしさのない、遊技盤固定保持装置を備えたパチンコ機が提案されている。このパチンコ機の遊技盤固定保持装置は、複数の固定部材のうち少なくとも２つの固定部材が、操作部の操作によって、遊技盤固定位置と遊技盤開放位置との間を連動して変位するため、中枠からの遊技板の着脱を容易としている。
【特許文献１】特開２００３−１９３１９号公報
【発明の開示】
【発明が解決しようとする課題】
【０００４】
しかしながら、特許文献１に記載の遊技機では、遊技盤を中枠の前面側より外す場合において、複数の固定部材を遊技盤固定位置から遊技盤開放位置に変位させた時に、遊技盤が、中枠の前面側に倒れたりして危険であるという問題点があった。また、パチンコ機の振動により、遊技盤が中枠よりズレてしまい、遊技盤に形成された遊技領域内に打ち込まれた遊技球の打ち込み位置が安定しない等の問題点もあった。
【０００５】
本発明は、上述の課題を解決するためになされたものであり、遊技盤のズレを防止でき、遊技盤を安全に取り外し可能な押さえ部材を備えた遊技機を提供することを目的とする。
【課題を解決するための手段】
【０００６】
上記目的を達成するために、請求項１に係る発明の遊技機では、正面視略長方形状の中枠と、当該中枠の、遊技者に対向する前面側に設けられ、遊技媒体が流下する遊技盤と、前記中枠に設けられ、前記遊技盤が設けられるための遊技盤用開口部と、当該遊技盤用開口部の周囲に設けられ、前記遊技盤を係止する係止手段と、前記中枠の、前記前面側の上端部の略中央の近傍に設けられ、前記遊技盤の上端部を押圧して支持する遊技盤押さえ部材とを備え、前記遊技盤押さえ部材は、前記中枠の、前記前面側の前記上端部近傍に当接して固定される平面視略長方形状の固定片と、当該固定片の下端部から、前記中枠の前記前面から離れる方向に向かって略水平に延設された平面視略長方形状の水平片と、
当該水平片の、前記固定片から離れる側の一端部から、前記固定片の下方に向かって折り曲げられて延設された第１折り曲げ片と、当該第１折り曲げ片の、前記固定片の下方側の一端部から、前記固定片の下端部近傍に向かって折り曲げられ、前記中枠の前記前面近傍まで延設された第２折り曲げ片とから構成され、前記第１折り曲げ片は、前記水平片の前記一端部から、前記固定片の下方に向かって湾曲して折り曲げられた第１折り曲げ部を備え、前記第２折り曲げ片は、前記第１折り曲げ片の前記一端部から、前記固定片の下端部近傍に向かって湾曲して折り曲げられた第２折り曲げ部を備え、前記遊技盤の前記上端部は、前記第２折り曲げ部に接していることを特徴とする。
【０００７】
また、請求項２に係る発明の遊技機では、請求項１に記載の発明の構成に加え、前記係止手段は、前記中枠の前面に凸設され、前記遊技盤に設けられた嵌合穴に嵌合する嵌合突起と、前記中枠に対して一端側が軸支され、当該一端側とは反対側の他端側が前記遊技盤の前面に係止して前記遊技盤を前記中枠に固定する固定レバーとを備えたことを特徴とする。
【０００８】
【０００９】
【００１０】
【００１１】
【００１２】
【００１３】
なお、本発明においては、中枠を支持する正面視略長方形状の外枠を備えてもよい。
【発明の効果】
【００１４】
請求項１に係る発明の遊技機によれば、中枠の遊技者が対向する前面側には、遊技媒体が流下する遊技盤が設けられている。この遊技盤は、中枠に設けられた遊技盤用開口部の周囲に設けられた係止手段によって係止されている。そして、中枠の前面側の上端部近傍に設けられた遊技盤押さえ部材が、中枠の前面側に支持された遊技盤の上端部を押圧して支持するので、遊技盤が中枠の前面側からズレるのを防止することができる。さらに、遊技盤は、遊技盤押さえ部材によって押圧されて支持されているので、中枠の前面から遊技盤を取り外す際、係止手段による遊技盤の係止を解除する時に、遊技盤が中枠の前面側に倒れるのを防止することができる。また、遊技盤押さえ部材の固定片を、中枠の前面側の上端部近傍に当接して固定することにより、遊技盤押さえ部材が中枠の前面の上端部近傍に固定される。そして、この固定片の下端部から水平片が略垂直に延設され、水平片より第１折り曲げ片が折り曲げられて延設され、第１折り曲げ片より第２折り曲げ片が折り曲げられて延設されている。このように、固定片、水辺片、第１折り曲げ片および第２折り曲げ片が一体的に形成されることにより、遊技盤の上端部を押圧するための押圧力を形成することができる。また、遊技盤の上端部が、第２折り曲げ片の第２折り曲げ部に接することにより、遊技盤の上端部が第２折り曲げ部を上方に向かって押し上げる。すると、第１折り曲げ片および水平片が撓む。そして、その撓みにより、第１折り曲げ片および水平片の剛性による反発力が生まれ、その反発力は第２折り曲げ部に伝達される。そのため、第２折り曲げ部では、その反発力を押圧力として利用することによって、遊技盤の上端部を押圧して強固に支持することができる。また、第１折り曲げ片は、湾曲して折り曲げられているので、より強い押圧力を形成することができる。また、第２折り曲げ片は、湾曲して折り曲げられているので、より強い押圧力を形成することができる。また、遊技盤押さえ部材は、中枠の上端部近傍の略中央に設けられているので、１つの遊技盤押さえ部材で、中枠に設けられた遊技盤をバランスよく押圧して支持することができる。
【００１５】
【００１６】
【００１７】
【００１８】
【００１９】
【００２０】
【発明を実施するための最良の形態】
【００２１】
以下、本発明に係る遊技機の一実施の形態であるパチンコ機１について、図面に基づいて説明する。図１は、パチンコ機１の表枠１４および中枠１３が開いた状態を前面から見た斜視図であり、図２は、パチンコ機１の正面図である。さらに、図３は、中枠１３の斜視図であり、図４は、遊技盤２の斜視図である。なお、本実施形態のパチンコ機１は、中枠１３に固定された遊技盤２の上端部を押圧して支持する遊技盤押さえ部材６０を備えることにより、中枠１３に固定された遊技盤２のズレを防止するものである。また、以下の説明において、図１および図２の紙面手前側を「パチンコ機１の前面側」、紙面奥行き側を「パチンコ機１の裏面側」とする。
【００２２】
はじめに、パチンコ機１の概略構成について説明する。図１に示すように、パチンコ機１は、ホールの島設備（図示外）に配設され、パチンコ機１の本体を支持する正面視略長方形状の外枠１２を備えている。そして、外枠１２の遊技者に対向する前面側には、正面視略長方形状の中枠１３が設けられている。そして、この中枠１３の中枠左柱部１３ｃ（図３参照）は、上ヒンジ２６および下ヒンジ２５を介して、外枠１２の外枠左柱部１２ｃ近傍に軸支されることにより、中枠１３が外枠１２に対して、略水平方向に回動可能となっている。一方、中枠１３の上半分には、遊技盤２が固定されるための正面視略長方形状の遊技盤用開口部Ｑ（図３参照）が形成され、当該遊技盤用開口部Ｑの前面側には、略矩形状の表枠１４が設けられている。そして、表枠１４の表枠左側端部１４ａが、中枠左柱部１３ｃ（図３参照）近傍に軸支されることにより、表枠１４が中枠１３に対して、略水平方向に回動可能となっている。さらに、表枠１４の略中央には、正面視略円形状の窓部が形成され、その窓部には、正面視略円形状のガラス板２３が嵌め込まれている。
【００２３】
また、図１に示すように、パチンコ機１の中枠１３の上半分の部分には、発射ハンドル７の操作により、発射手段である発射機（図示外）から発射された遊技球が流下する遊技盤２が設けられている。この遊技盤２は正面視略正方形であり、ガラス板２３を略中央に保持した表枠１４によって保護されている。また、図１および図２に示すように、中枠１３において、遊技盤２の下方には、発射機に遊技球を供給し、かつ賞品球を受け入れる上皿５が設けられている。さらに、上皿５の直下には、賞品球を受ける下皿６が設けられ、その下皿６の右側には発射機による遊技球の発射を調整する発射ハンドル７が設けられている。また、図２に示すように、上皿５と下皿６との間にはスピーカ４８が設けられている。
【００２４】
そして、図１および図２に示すように、中枠１３の上皿５の右側には鍵穴７５が設けられており、この鍵穴７５の背面にはシリンダ錠（図示外）が設けられている。そして、この鍵穴７５に鍵（図示外）を挿入し、挿入された鍵を反時計回りに回転させることにより、外枠１２に対して固定されていた中枠１３が、略水平方向に回動可能となる。一方、挿入された鍵を時計回りに回転させることにより、中枠１３に対して表枠１４が略水平方向に回動可能となる。また、パチンコ機１の中枠１３の裏面には、制御基盤、サブ統合基盤、音基盤などの各種基盤が組み付けられており、それら基盤は、樹脂製の透明な板材からなるセンターカバー８０や基盤ボックス８２で保護されている。また、センターカバー８０の上部には、遊技機設置島から供給される遊技球を貯留する遊技球タンク８４が設けられている。
【００２５】
一方、図１に示すように、遊技盤２の前面には、外レール３および内レール９（図４参照）に囲まれた正面視略円形状の遊技領域４が設けられている。そして、図２に示すように、この遊技領域４の略中央には、ＬＣＤから構成された特別図柄表示画面、各種ランプおよびＬＥＤを備えた特別図柄表示装置８が設けられている。また、この特別図柄表示装置８の下側には特別図柄始動電動役物１５が設けられている。そして、この特別図柄始動電動役物１５の左右には普通入賞口１９，２０がそれぞれ設けられている。そして、普通入賞口１９の左側方には普通図柄始動ゲート１１が設けられている。さらに、特別図柄始動電動役物１５の下方には、大入賞口１６が設けられている。そして、大入賞口１６の下方には、何れの入賞口にも入賞しなかった遊技球が回収されるアウト口８１が設けられている。
【００２６】
次に、外枠１２について説明する。図１に示すように、外枠１２は、ホールの島設備（図示外）に取り付けられるパチンコ機１本体を支持する枠部材である。図１に示すように、この外枠１２は、外枠上柱部１２ａ、外枠右柱部１２ｂ、外枠左柱部１２ｃ、外枠下柱部１２ｄからなり、正面視略長方形状の枠を構成している。そして、外枠下柱部１２ｄは、他の３つの柱部材である外枠上柱部１２ａ、外枠右柱部１２ｂ、外枠左柱部１２ｃよりもやや前方へ突出した形状を有している。このため、外枠下柱部１２ｄは、他の３本の枠部材よりも高い強度を有し、土台としての機能も担っている。さらに、図２に示すように、外枠下柱部１２ｄの、遊技者に対向する前面には、樹脂で形成された黒色の薄板である化粧板（図示外）が張られている。そして、このような構成からなる外枠１２の外枠左柱部１２ｃ近傍に、中枠１３の中枠左柱部１３ｃ（図３参照）近傍が軸支されるようになっている。
【００２７】
次に、中枠１３について説明する。図３に示すように、中枠１３は、中枠上柱部１３ａ、中枠右柱部１３ｂ、中枠左柱部１３ｃ、中枠下柱部１３ｄにより、正面視略長方形状に構成されている。そして、中枠１３を構成する柱部材は、金属製のアングル部材からなる。さらに、中枠上柱部１３ａ、中枠右柱部１３ｂおよび中枠左柱部１３ｃは、平面視略短冊形状に形成されている。一方、中枠下柱部１３ｄは、中枠上柱部１３ａ、中枠右柱部１３ｂおよび中枠左柱部１３ｃの幅よりも広い面積を有する平面視略長方形状に形成されている。そして、中枠下柱部１３ｄの前面側には、上述した下皿６、スピーカ４８および発射ハンドル７などの各部品（図２参照）および各装置が固定される。
【００２８】
また、中枠左柱部１３ｃの前面の、長手方向上端部近傍には、平面視略半円形状の掛け部２４が固定されている。この掛け部２４は、外枠１２に固定された上ヒンジ２６（図１参照）とともに「上ヒンジ構造」を構成する。さらに、掛け部２４には、掛け部２４の上面から上方に向かって凸設され、上ヒンジ２６に設けられた係合穴（図示外）に係合するための軸ピン（図示外）が設けられている。さらに、掛け部２４の下面には、下方に向かって凸設され、表枠１４の表枠左側端部１４ａの長手方向上端部に設けられた係合穴（図示外）に係合する軸ピン２４ａが設けられている。一方、中枠左柱部１３ｃの前面の、長手方向略中間よりもやや下方位置近傍には、中ヒンジ２９が固定されている。この中ヒンジ２９は、表枠１４の左下角部近傍に固定された掛け部（図示外）とともに「中ヒンジ構造」を構成する。そして、中ヒンジ２９には、中ヒンジ２９の上面から上方に向かって凸設された軸ピン２９ａが設けられ、その軸ピン２９ａには、表枠１４の左下角部近傍に固定された掛け部（図示外）に設けられた係合穴（図示外）が係合する。
【００２９】
さらに、中枠左柱部１３ｃの前面の、長手方向下端部近傍には、掛け部２７が固定されている。この掛け部２７は、外枠１２に固定された下ヒンジ２５（図１参照）とともに「下ヒンジ構造」を構成する。さらに掛け部２７には、下ヒンジ２５に凸設された軸ピン（図示外）と係合するための係合穴２７ａが設けられている。したがって、中枠１３の中枠左柱部１３ｃは、外枠１２の外枠左柱部１２ｃ近傍に軸支されることにより、外枠１２に対して中枠１３が略水平方向に回動可能となる。一方、表枠１４の表枠左側端部１４ａは、中枠１３の中枠左柱部１３ｃ近傍に軸支されることにより、中枠１３に対して表枠１４が略水平方向に回動可能となる。
【００３０】
そして、図３に示すように、上記構成からなる中枠１３には、遊技盤２を固定するための４つの固定レバー３０，３１，３２，３３が設けられている。これら固定レバー３０，３１，３２，３３は、断面視略Ｌ字型のアングル部材によって構成されている。詳細にいうと、中枠右柱部１３ｂの長手方向上端部近傍には、遊技盤２（図４参照）の右上角部近傍を固定するための固定レバー３０の長手方向一端側が軸支され、中枠右柱部１３ｂの長手方向下端部近傍には、遊技盤２の右下角部近傍を固定するための固定レバー３１の長手方向一端側が軸支されている。一方、中枠左柱部１３ｃの長手方向上端部近傍には、遊技盤２の左上角部近傍を固定するための固定レバー３２の長手方向一端側が軸支され、中枠左柱部１３ｃの長手方向下端部近傍には、遊技盤２の左下角部近傍を固定するための固定レバー３３の長手方向一端側が軸支されている。
【００３１】
こうして、固定レバー３０，３１，３２，３３は、中枠１３に対して、手動により各々回動可能となっている。例えば、固定レバー３０，３１，３２，３３の軸支される一端側とは反対の他端側が、中枠１３の内側に向かって略水平方向に位置する場合は、固定レバー３０，３１，３２，３３は、遊技盤２を固定可能な「遊技盤固定位置」の状態にある。一方、固定レバー３０，３１，３２，３３の軸支される一端側とは反対の他端側が、中枠１３の上方に向かって位置する場合は、固定レバー３０，３１，３２，３３は、遊技盤２を取り外し可能な「遊技盤開放位置」の状態にある。そして、固定レバー３０，３１，３２，３３を、遊技盤固定位置および遊技盤開放位置の間で手動で変位させることにより、中枠１３に対する遊技盤２の着脱が可能となる。
【００３２】
さらに、中枠１３の裏面側には、遊技盤２を固定するための正面視略長方形状の遊技盤固定枠５０が固着され、中枠１３と一体化されている。この遊技盤固定枠５０は、遊技盤２を中枠１３に固定する際に、中枠１３に対して遊技盤２を固定するための枠部材である。この遊技盤固定枠５０については後述する。
【００３３】
こうして、図１に示すように、上述した構成からなる中枠１３は、外枠１２の外枠上柱部１２ａ、外枠右柱部１２ｂ、外枠左柱部１２ｃの３つの柱部の前面に対向し、外枠１２の外枠下柱部１２ｄの突出する部分の上面に対向するように配置される。また、上述したように、中枠１３の裏面側には、各種基盤および各種装置が固定された機構盤（図示外）が組み付けられる。
【００３４】
次に、遊技盤固定枠５０について説明する。図３に示すように、遊技盤固定枠５０は、中枠１３に対する遊技盤２の位置決めをして固定するための枠部材であり、中枠１３の裏面側に固着されている。そして、遊技盤固定枠５０は、固定枠上柱部５０ａ、固定枠右柱部５０ｂ、固定枠左柱部５０ｃ、固定枠下柱部５０ｄによって、正面視略長方形状の枠を構成している。また、これら柱部材は、金属製のアングル部材であり、固定枠左柱部５０ｃおよび固定枠右柱部５０ｂは、平面視略短冊形状に形成されている。一方、固定枠上柱部５０ａおよび固定枠下柱部５０ｄは、固定枠左柱部５０ｃおよび固定枠右柱部５０ｂよりも幅の広い平面視略長方形状に形成されている。そして、このような構成からなる遊技盤固定枠５０の内側には、正面視略長方形状の遊技盤用開口部Ｑが形成されている。この遊技盤用開口部Ｑには、遊技盤２の背面から突出する特別図柄表示装置８の一部や、各部品の凸部形状が挿入される。したがって、遊技盤固定枠５０の前面に、遊技盤２の裏面を密着させることができる。
【００３５】
そして、固定枠上柱部５０ａの、前面側の長手方向略中間部には、遊技盤２の上端部を押圧して支持する遊技盤押さえ部材６０が固定されている。また、固定枠上柱部５０ａの長手方向右側（図３の右側）一端部近傍の前面には、遊技盤２の嵌合穴３６（図４参照）と嵌合するための嵌合突起４１が凸設されている。さらに、固定枠下柱部５０ｄの長手方向左側（図３の左側）一端部近傍であって、遊技盤用開口部Ｑに接する一端部近傍の前面側には、遊技盤２の嵌合穴３７（図４参照）と嵌合するための嵌合突起４０が凸設されている。さらに、固定枠下柱部５０ｄの嵌合突起４０の下方には、上皿５に遊技球を供給するための遊技球供給装置（図示外）を組み付けるための平面視略多角形状の組付穴５１が設けられている。なお、この組付穴５１の前面側には、後述する遊技盤２の切り欠き部３４（図４参照）が位置するようになっており、遊技球装置が遊技盤２と接触することなく組み付けられるようになっている。なお、図３に示す固定レバー３０，３１，３２，３３、および嵌合突起４０，４１が、「係止手段」に相当する。
【００３６】
次に、遊技盤２について説明する。図４に示すように、遊技盤２は、正面視略長方形状の板部材であり、３枚の板部材が積層されて１枚の板部材を形成している。３枚の板部材とは、表板２ａ、中板２ｂおよび裏板２ｃからなる。そして、中板２ｂが、表板２ａと裏板２ｃとに挟まれている。ここで、表板２ａおよび裏板２ｃは、比較的柔らかい南洋材を材質としている。一方、中板２ｂは、比較的堅いブナ材を材質としている。この遊技盤２は、中枠１３の裏面側に固着された遊技盤固定枠５０の前面側に支持される（図３参照）。そして、この遊技盤２の前面側には、正面視略円形状に形成された外レール３と、当該外レール３の内側に配設され、正面視略半円形状に形成された内レール９とを備えている。さらに、外レール３および内レール９の内側には発射手段によって発射された遊技球が流下する正面視略円形状の遊技領域４が形成されている。そして、遊技領域４の略中央には、特別図柄を表示する特別図柄表示装置８などの各装置が設けられている。
【００３７】
また、図４に示すように、遊技盤２の左上角部近傍には、正面視略台形状の切り欠きが形成された切り欠き部３５が設けられている。この切り欠き部３５は、遊技盤２を中枠１３に対して固定する際に、図示外の配線が遊技盤２の左側端部近傍に配設されるため、その配線との接触を避けるために形成されている。一方、遊技盤２の下端部の左側には、略半楕円形状の切り欠きが形成された切り欠き部３４が設けられている。この切り欠き部３４は、遊技盤２を中枠１３に対して固定する際に、中枠１３の組付穴５１に組み付けられる遊技球供給装置（図示外）との接触を避けるために形成されている。さらに、遊技盤２の外レール３右半分の湾曲する外側面には、その湾曲形状に沿うようにして飾り部材３９が固定されている。そして、飾り部材３９の、遊技盤２の右下角部近傍には、正面視略扇型形状の切り欠き部２１が設けられている。この切り欠き部２１は、中枠１３の中枠右柱部１３ｂに軸支された固定レバー３１との接触を避けるために形成されている
【００３８】
さらに、遊技盤２の右上角部近傍には、遊技盤２を中枠１３に固定するために穿設された嵌合穴３６が設けられている。一方、遊技盤２の左下角部近傍にも、嵌合穴３６と同様の嵌合穴３７が設けられている。そして、これら嵌合穴３６，３７を、中枠１３に固着された遊技盤固定枠５０の嵌合突起４１，４０に各々嵌合させることにより、中枠１３に対して遊技盤２の位置決めおよび仮固定がなされる。
【００３９】
次に、本発明の要部である遊技盤押さえ部材６０について、図３、図５乃至図９を参照して説明する。図５は、遊技盤押さえ部材６０の斜視図であり、図６は、遊技盤押さえ部材６０の正面図であり、図７は、遊技盤押さえ部材６０の右側面図である。図８は、遊技盤２が、中枠１３に固定された状態を示す中枠１３の斜視図であり、図９は、遊技盤２が固定された中枠１３の、遊技盤押さえ部材６０近傍を右側から見た部分拡大図である。この遊技盤押さえ部材６０は、遊技盤２の上端部を押圧して支持することにより、遊技盤２の中枠１３に対するズレを防止するための部材である。
【００４０】
はじめに、遊技盤押さえ部材６０の構造について説明する。図５および図６に示すように、遊技盤押さえ部材６０は、中枠１３の遊技盤固定枠５０の固定枠上柱部５０ａ（図３参照）の長手方向略中間位置に当接して固定される平面視略長方形状の固定片６１と、当該固定片６１の下端部より、固定枠上柱部５０ａ（図３参照）の前面側から離れる方向に向かって略水平に延設された平面視略長方形状の水平片６２と、当該水平片６２の固定片６１から離れる側の一端部から、固定片６１の下方に向かって折り返されて延設された第１折り曲げ片６３と、当該第１折り曲げ片６３の、固定片６１の下方側一端部から固定片６１の下端部近傍に向かって延設され、中枠１３の前面近傍（図３参照）まで延設された第２折り曲げ片６４と、当該第２折り曲げ片６４の、第１折り曲げ片６３側の一端部とは反対の他端部から上方に折り返されて延設された第３折り返し片６５とから構成されている。そして、このような構成からなる遊技盤押さえ部材６０は、１枚の所定の厚みを有する平面視略長方形状の金属板から射出形成されている。以下、遊技盤押さえ部材６０を構成するこれら各構成片について、各々説明する。
【００４１】
固定片６１について説明する。図５および図６に示すように、固定片６１は、縦１８６ｍｍ、横２５０ｍｍの平面視略長方形状に形成されている。そして、この固定片６１の略中段には、遊技盤固定枠５０の固定枠上柱部５０ａ（図３参照）の前面側に固定されるために孔設された固定穴６１ａ，６１ａが所定の間隔（例えば、１４ｍｍ）を空けて並列して設けられている。したがって、図９に示すように、固定片６１を、中枠１３の裏面側に固着された遊技盤固定枠５０の、固定枠上柱部５０ａの長手方向略中間位置（図３参照）に当接し、固定穴６１ａ，６１ａ（図５乃至図７参照）にリベット７２で各々固定することにより、遊技盤押さえ部材６０を遊技盤固定枠５０に固定することができる。なお、本実施形態では、固定片６１に孔設される固定穴６１ａは、２つであるが、１つでも、２つ以上でもよい。また、固定片６１の固定手段に関しては、リベット７２を用いたが、ネジなどの他の固定具を用いてもよい。
【００４２】
次に、水平片６２について説明する。図５乃至図７に示すように、水平片６２は、固定片６１と同じ幅長を有する平面視略長方形状に形成され、固定枠上柱部５０ａ（図３参照）に固定された平面視略長方形状の固定片６１の下端部から、固定枠上柱部５０ａ（図３参照）の前面から離れる方向に向かって延設されている。なお、この水平片６２の延設される長さは、約２５０ｍｍ程度であるが、遊技盤２の厚み等にあわせて自由に変更可能である。
【００４３】
次に、第１折り曲げ片６３について説明する。図５乃至図７に示すように、第１折り曲げ片６３は、平面視略長方形状の水平片６２の、固定片６１から離れる側の一端部から、固定片６１の下方に向かって折り返されて延設され、折り曲げ部６８を形成している。なお、折り曲げ部６８における折り曲げ角度は、例えば、水平片６２の面から延設される仮想平面と、第１折り曲げ片６３の面から延設される仮想平面とのなす角度が３５度になるように調整されている。そして、折り曲げ部６８は湾曲して折り返されている。このため、第１折り曲げ片６３を水平片６２に対して、水平片６２および第１折り曲げ片６３によって挟まれる鋭角側に付勢すると、折り曲げ部６８が湾曲形状であるため、上記付勢に対する折り曲げ部６８の撓みによる強い反発力が形成される。このため、後述する第２折り曲げ片６４の折り曲げ部６９を上方に向かって押圧することにより、折り曲げ部６８において、その押圧に対する強い反発力（下方に向かう押圧力）が形成される。なお、図５に示す第１折り曲げ片６３が、「第１折り曲げ片」に相当する。
【００４４】
次に、第２折り曲げ片６４について説明する。図５乃至図７に示すように、第２折り曲げ片６４は、第１折り曲げ片６３の、固定片６１の下方側に位置する一端部から、折り曲げ部６９（図３参照）において、固定片６１の下端部近傍に向かって斜め上方に折り返され、遊技盤固定枠５０の前面近傍まで延設されている。なお、折り曲げ部６９における折り曲げ角度、即ち、第１折り曲げ片６３の平面部分から延設された仮想平面と、第２折り曲げ片６４の平面部分から延設された仮想平面とのなす角度は１００度に調整されている。そして、第２折り曲げ片６４の折り曲げ部６９も湾曲して折り返されている。したがって、第２折り曲げ片６４を、第１折り曲げ片６３および第２折り曲げ片６４によって挟まれる鈍角側に付勢すると、折り曲げ部６９の湾曲形状により、折り曲げ部６９をにおける前記付勢に対する強い反発力が形成される。したがって、折り曲げ部６９を、上方に押圧すると、折り曲げ部６８および第２折り曲げ部６９の湾曲形状により、遊技盤２を下方へ押圧する押圧力を強く形成することができる。また、折り曲げ部６９は湾曲形状であるため、遊技盤２の上端部が接触しても、遊技盤２の上端部を傷つけることがない。なお、図５に示す第２折り曲げ片６４が、「第２折り曲げ片」に相当し、折り曲げ部６９が、「第２折り曲げ部」に相当する。
【００４５】
次に、第３折り返し片６５について説明する。図５乃至図７に示すように、第３折り返し片６５は、第２折り曲げ片６４の、固定枠上柱部５０ａ（図３参照）側の一端部より、垂直上方に向かって折り返して延設されている。そして、第３折り返し片６５の水平片６２側の一端部と、水平片６２の裏面側との間には隙間が形成されている。したがって、遊技盤２の上端部が、折り曲げ部６９を上方に押し上げた時に、第３折り返し片６５の先端部が、水平片６２の裏面に衝突するのを防ぐことができる。また、第３折り返し片６５が折り返して延設されているので、第３折り返し片６５の先端部が、固定枠上柱部５０ａ（図３参照）の前面に衝突するのを防ぐこともできる。
【００４６】
次に、補強部６７について説明する。図５乃至図７に示すように、補強部６７は、固定片６１および水平片６２の連接する連接辺の長手方向略中間位置に設けられている。この補強部６７は、固定片６１および水平片６２が略直角に連接して形成される稜線の長手方向の略中間部分に向かって射出して形成される。したがって、固定片６１および水平片６２の略直角側の連接辺上には、略三角錐形状の補強部６７が形成される。そして、補強部６７は、固定片６１および水平片６２の連接辺の近傍の強度を向上させることができる。このため、例えば、遊技盤２の上端部が、遊技盤押さえ部材６０の第２折り曲げ片６４の折り曲げ部６９を強く上方に押し上げ、遊技盤押さえ部材６０に無理な負荷がかけられた場合でも、水平片６２および固定片６１の間で折れ曲がることがない。
【００４７】
次に、遊技盤押さえ部材６０が固定された中枠１３に対する遊技盤２の固定方法について説明する。はじめに、図８に示すように、遊技盤２を中枠１３の前面側に位置させ、遊技盤固定枠５０の前面側に対向させる。次いで、遊技盤２の上端側を、中枠１３の内側に挿入させ、遊技盤２の上端側の略中間部を、遊技盤押さえ部材６０の第２折り投げ片６４の折り曲げ部６９に当接させる。さらに、遊技盤押さえ部材６０の折り曲げ部６９は、遊技盤２の中板２ｂに接触させる。次いで、第２折り曲げ片６４の折り曲げ部６９を、遊技盤２の上端部で上方に若干押し上げながら、遊技盤２の嵌合穴３６を、遊技盤固定枠５０の嵌合突起４１に嵌合させ、遊技盤２の嵌合穴３７を、遊技盤固定枠５０の嵌合突起４０に嵌合させる。この時、中枠１３に対して、遊技盤２の位置決めおよび仮固定がなされる。そして、仮固定された遊技盤２に対して、中枠１３の固定レバー３０，３１，３２，３３を、「遊技盤開放位置」から「遊技盤固定位置」に各々変位させることにより、遊技盤２が中枠１３に対して固定され、遊技盤押さえ部材６０によって押圧して支持された状態となる。
【００４８】
次に、上記構成からなる遊技盤押さえ部材６０の作用について説明する。図９に示すように、遊技盤押さえ部材６０の第２折り曲げ片６４の折り曲げ部６９は、遊技盤２の上端部の略中間部に接触している。そして、折り曲げ部６９は、遊技盤２の上端部によりやや上方へ押し上げられるため、水平片６２、第１折り曲げ片６３および第２折り曲げ片６４が撓む。さらに、撓んだ水平片６２、第１折り曲げ片６３および第２折り曲げ片６４の金属剛性により、折り曲げ部６９には、遊技盤２の上端部の略中間部を下方に向かって押圧する押圧力が形成される。こうして、遊技盤押さえ部材６０は、折り曲げ部６９を介して遊技盤２を下方に向かって押圧することにより、中枠１３に対する遊技盤２のズレを防止することができる。また、遊技盤２を下方に向かって押圧して支持するため、遊技盤２は、遊技盤押さえ部材６０と、遊技盤固定枠５０の嵌合突起４０，４１との間で挟持された状態となっている。このため、中枠１３から遊技盤２を取り外す際に、固定レバー３０，３１，３２，３３を「遊技盤固定位置」から「遊技盤開放位置」に変位させた場合、遊技盤２は、遊技者の前面側に倒れることがない。したがって、遊技盤２を安全に取り外すことができる。さらに、図９に示すように、遊技盤押さえ部材６０の折り曲げ部６９は、遊技盤２の堅い材質からなる中板２ｂに接触しているので、金属製の遊技盤押さえ部材６０の折り曲げ部６９によって、遊技盤２を傷つけずに、遊技盤２を強固に支持することができる。
【００４９】
以上説明したように、本発明の一実施の形態であるパチンコ機１によれば、中枠１３の裏面側には、外枠１２に対する遊技盤２の位置決めを行う遊技盤固定枠５０が固着されている。そして、遊技盤固定枠５０の固定枠上柱部５０ａの長手方向略中間部には、遊技盤押さえ部材６０の固定片６１が固定されている。さらに、遊技盤押さえ部材６０の第２折り曲げ片６４の折り曲げ部６９は、遊技盤２の上端部長手方向の略中間位置に接触している。このため、遊技盤押さえ部材６０は、遊技盤２の上端部を下方に向かって押圧するため、中枠１３に対する遊技盤２のズレを防止することができる。また、折り曲げ部６８および折り曲げ部６９は湾曲して折り返されているため、遊技盤２の上端部が折り曲げ部６９を上方に押し上げると、その押圧に対する強い反発力が折り曲げ部６９に生まれる。こうして、折り曲げ部６９は、遊技盤２を下方に向かって押圧することにより、遊技盤２を強固に支持することができる。
【００５０】
また、遊技盤２を下方に向かって押圧していることから、遊技盤２は、遊技盤押さえ部材６０と、遊技盤固定枠５０の嵌合突起４０，４１との間で挟持された状態となっている。したがって、例えば、中枠１３に固定された遊技盤２を、中枠１３から取り外す際に、固定レバー３０，３１，３２，３３を「遊技盤固定位置」から「遊技盤開放位置」に変位させた場合、遊技盤２は、遊技者の前面側に倒れることがなく、遊技盤２の取り外しを安全に行うことができる。さらに、遊技盤押さえ部材６０の折り曲げ部６９は、遊技盤２の堅い材質からなる中板２ｂに接触しているので、金属製の遊技盤押さえ部材６０の折り曲げ部６９によって、遊技盤２を傷つけずに、遊技盤２を強固に支持することができる。
【００５１】
なお、本発明は、以上詳述した実施の形態に限定されるものではなく、種々の変更が可能である。まず、本実施の形態では遊技機として、遊技機の一種であるパチンコ機１を例に挙げているが、遊技機はパチンコ機に限られず、パチコン機およびスロット等の各種遊技機に適用可能である。
【００５２】
また、遊技盤押さえ部材６０の折り曲げ部６８、折り曲げ部６９の折り曲げ角度は、上記実施形態に限らず、自由に変更可能である。
【００５３】
さらに、本実施形態のパチンコ機１では、遊技盤押さえ部材６０は、中枠１３の遊技盤固定枠５０の、固定枠上柱部５０ａの略中央に１つ設けられているが、２つでも、３つでもよく、複数の遊技盤押さえ部材６０を設けてもよい。
【産業上の利用可能性】
【００５４】
本発明の遊技機は、パチンコ機に限られず、パチコン機およびスロット等の遊技機に適用可能である。
【図面の簡単な説明】
【００５５】
【図１】パチンコ機１の表枠１４および中枠１３が開いた状態を前面から見た斜視図である。
【図２】パチンコ機１の正面図である。
【図３】中枠１３の斜視図である。
【図４】遊技盤２の斜視図である。
【図５】遊技盤押さえ部材６０の斜視図である。
【図６】遊技盤押さえ部材６０の正面図である。
【図７】遊技盤押さえ部材６０の右側面図である。
【図８】遊技盤２が、中枠１３に固定された状態を示す中枠１３の斜視図である。
【図９】遊技盤２が固定された中枠１３の、遊技盤押さえ部材６０近傍を右側から見た部分拡大図である。
【符号の説明】
【００５６】
１    パチンコ機
２    遊技盤
１２    外枠
１３    中枠
３０    固定レバー
３１    固定レバー
３２    固定レバー
３３    固定レバー
４０    嵌合突起
４１    嵌合突起
５０    遊技盤固定枠
６０    遊技盤押さえ部材
６１    固定片
６１ａ  固定穴
６２    水平片
６３    第１折り曲げ片
６４    第２折り曲げ片
６９    折り曲げ部
Ｑ    遊技盤用開口部
【図１】
0004669970.tif 000002
【図２】
0004669970.tif 000003
【図３】
0004669970.tif 000004
【図４】
0004669970.tif 000005
【図５】
0004669970.tif 000006
【図６】
0004669970.tif 000007
【図７】
0004669970.tif 000008
【図８】
0004669970.tif 000009
【図９】
0004669970.tif 000010